(57)【要約】【課題】ストリーミング配信を行うコンテンツデータを一元管理できるコンテンツ配信システムを提供する。【解決手段】本発明に係るコンテンツ配信システム１００は、コンテンツ配信システム１００は、移動通信端末１０と、移動通信端末１０と無線通信を行う無線基地局１２と、移動通信端末に提供されるコンテンツが保存され、公衆網１３を介して無線基地局１２と通信を行うコンテンツサーバー１５と、を有している。無線基地局１２は、図示しない他の通信端末より移動通信端末１０に対して発呼があった場合に、コンテンツサーバー１５に対してコンテンツを移動通信端末１０にストリーミング配信を行うよう要求する。コンテンツサーバー１５は、無線基地局１２からストリーミング配信を行うよう要求されると、無線基地局１２を介して移動通信端末１０にコンテンツをストリーミング配信する。【選択図】図１
2010165020.tif 000002
【特許請求の範囲】
【請求項１】
移動通信端末と、前記移動通信端末と無線通信を行う無線基地局と、前記移動通信端末に提供されるコンテンツが保存され、公衆網を介して前記無線基地局と通信を行うコンテンツサーバーと、を有し、
前記無線基地局は、他の通信端末より前記移動通信端末に対して発呼があった場合に、前記コンテンツサーバーに対して前記コンテンツを前記移動通信端末にストリーミング配信を行うよう要求し、
前記コンテンツサーバーは、前記無線基地局からストリーミング配信を行うよう要求されると、前記無線基地局を介して前記移動通信端末に対し前記コンテンツをストリーミング配信する
コンテンツ配信システム。
【請求項２】
前記移動通信端末は、前記無線基地局から前記他の通信端末より前記移動通信端末に対して発呼があった旨の報知を受けると、前記無線基地局を介して前記コンテンツサーバーに対しストリーミング配信を要求する
請求項１に記載のコンテンツ配信システム。
【請求項３】
前記移動通信端末は、前記コンテンツを索引する索引情報を保存する記憶部を備え、前記ストリーミング配信の要求に際して前記記憶部に保存された前記索引情報を前記無線基地局を介して前記コンテンツサーバーに送信し、
前記コンテンツサーバーは、前記移動通信端末より受け取った前記索引情報に対応する前記コンテンツをストリーミング配信する
請求項１又は２に記載のコンテンツ配信システム。
【請求項４】
前記無線基地局は、前記コンテンツサーバーから配信された前記コンテンツを前記移動通信端末に送信するために使用する周波数帯域を割り当てる
請求項１乃至３のうちいずれか１項に記載のコンテンツ配信システム。
【請求項５】
前記移動通信端末は、コンテンツが保存された記録部を備え、前記無線基地局から前記他の通信端末より前記移動通信端末に対して発呼があった旨の報知を受け取った後に前記コンテンツサーバーから前記コンテンツがストリーミング配信されない場合には、前記記録部に保存された前記コンテンツを再生する
請求項１乃至４のうちいずれか１項に記載のコンテンツ配信システム。
【請求項６】
前記無線基地局は、前記コンテンツを前記移動通信端末に送信するために使用する前記周波数帯域を確保できないときは、前記移動通信端末に対して前記コンテンツを配信できない旨を通知する
請求項４又は５に記載のコンテンツ配信システム。
【請求項７】
前記コンテンツサーバーは、前記移動通信端末に対して前記コンテンツをストリーミング配信できない場合には、前記移動通信端末に対して前記コンテンツをストリーミング配信できない旨を通知する
請求項１乃至６のうちいずれか１項に記載のコンテンツ配信システム。
【請求項８】
無線基地局と無線通信を行う移動通信端末に対して他の通信端末から発呼があった場合に、公衆網を介して前記無線基地局と通信を行うコンテンツサーバーから前記無線基地局を介して前記移動通信端末にコンテンツをストリーミング配信する
コンテンツ配信方法。
【請求項９】
前記コンテンツを識別する索引情報を前記コンテンツサーバーに送信し、
前記索引情報に対応する前記コンテンツを前記無線基地局を介して前記移動通信端末にストリーミング配信する
請求項８に記載のコンテンツ配信方法。
【請求項１０】
前記コンテンツをストリーミング配信するために使用する周波数帯域を割り当てる
請求項８又は９に記載のコンテンツ配信方法。
【請求項１１】
前記他の通信端末より前記移動通信端末に対して発呼があった場合に、前記コンテンツサーバーから前記コンテンツがストリーミング配信されない場合には、前記移動通信端末に予め保存された前記コンテンツを再生する
請求項８乃至１０のうちいずれか１項に記載のコンテンツ配信方法。
【請求項１２】
前記コンテンツを前記移動通信端末に送信するために使用する前記周波数帯域を確保できないときは、前記移動通信端末に対して前記コンテンツを配信できない旨を通知する
請求項１０又は１１に記載のコンテンツ配信方法。
【請求項１３】
前記コンテンツサーバーから前記移動通信端末に対して前記コンテンツをストリーミング配信できない場合には、前記移動通信端末に対して前記コンテンツをストリーミング配信できない旨を通知する
請求項８乃至１２のうちいずれか１項に記載のコンテンツ配信方法。
【請求項１４】
他の通信端末より移動通信端末に対して発呼があった場合に、前記移動通信端末にストリーミング配信するコンテンツが保存されたコンテンツサーバーに対して前記コンテンツを前記移動通信端末にストリーミング配信を行うよう要求する
無線基地局。
【請求項１５】
前記コンテンツをストリーミング配信するために使用する周波数帯域を設定する
請求項１４に記載の無線基地局。
【請求項１６】
前記コンテンツを前記移動通信端末に送信するために使用する前記周波数帯域を確保できないときは、前記移動通信端末に対して前記コンテンツを配信できない旨を通知する
請求項１４又は１５に記載の無線基地局。
【請求項１７】
移動通信端末に提供されるコンテンツが保存され、他の通信端末より前記移動通信端末に対して発呼があった場合にストリーミング配信を行うよう要求を受け付けると、前記無線基地局を介して前記移動通信端末に対し前記コンテンツをストリーミング配信する
コンテンツサーバー。
【請求項１８】
前記移動通信端末に対して前記コンテンツをストリーミング配信できない場合には、前記移動通信端末に対して前記コンテンツをストリーミング配信できない旨を通知する
請求項１７に記載のコンテンツサーバー。
【発明の詳細な説明】
【技術分野】
【０００１】
本発明は、移動通信端末にコンテンツを配信するコンテンツ配信システム、コンテンツ配信方法、無線基地局、及びコンテンツサーバーに関する。
【背景技術】
【０００２】
従来より、移動通信端末にプリインストールされていない着信音を外部からダウンロードするコンテンツ配信システムが知られている。近年では、着信音を再生するための着信音データは、高音質化に対応するためデータ量が増加する傾向にある。また、着うたフル（登録商標）などでは、着信音として１曲全てをデータ化するため、さらにデータ量が増加する。一方、小型化が求められている移動通信端末においては、今後も処理する着信音や映像のデータのサイズは増加する一方であり、移動通信端末内に着信音データ保存用のための大容量記録デバイスを持つことは、技術的に困難である。
【０００３】
これに対し、特許文献１には、移動通信端末同士の通信を中継する無線基地局に着信音データを保存するデータベースを設ける技術が開示されている。移動通信端末は、無線基地局から配信された音楽データをストリーミング再生することで、着信音データ保存用のメモリを節約することができる。
【０００４】
また、このようなコンテンツ配信システムに関する技術は、例えば特許文献２にも開示されている。
【先行技術文献】
【特許文献】
【０００５】
【特許文献１】特開２００２−３５９６６４号公報
【特許文献２】特開２００３−３３３１０６号公報
【発明の概要】
【発明が解決しようとする課題】
【０００６】
しかしながら、特許文献１に開示されたシステムにおいては、無線基地局に設けられたデータベースに着信音データが保存されているため、無数に存在する無線基地局間で日々新進している音楽を互いに共有する必要があり、着信音データを一元管理することができないという問題がある。
【０００７】
よって、本発明に係るコンテンツ配信システムの一態様は、移動通信端末に配信されるコンテンツを一元管理することができるコンテンツ配信システムを提供することを目的とする。
【課題を解決するための手段】
【０００８】
本発明に係るコンテンツ配信システムの一態様は、移動通信端末と、前記移動通信端末と無線通信を行う無線基地局と、前記移動通信端末に提供されるコンテンツが保存され、公衆網を介して前記無線基地局と通信を行うコンテンツサーバーと、を有し、前記無線基地局は、他の通信端末より前記移動通信端末に対して発呼があった場合に、前記コンテンツサーバーに対して前記コンテンツを前記移動通信端末にストリーミング配信を行うよう要求し、前記コンテンツサーバーは、前記無線基地局からストリーミング配信を行うよう要求されると、前記無線基地局を介して前記移動通信端末にストリーミング配信する、ことを特徴とする。
【０００９】
本発明に係るコンテンツ配信方法の一態様は、無線基地局と無線通信を行う移動通信端末に対して他の通信端末から発呼があった場合に、公衆網を介して前記無線基地局と通信を行うコンテンツサーバーから前記無線基地局を介して前記移動通信端末にコンテンツをストリーミング配信する、ことを特徴とする。
【００１０】
本発明に係る移動通信端末の一態様は、他の通信端末より移動通信端末に対して発呼があった場合に、前記移動通信端末にストリーミング配信するコンテンツが保存されたコンテンツサーバーに対して前記コンテンツを前記移動通信端末にストリーミング配信を行う要求する、ことを特徴とする。
【００１１】
本発明に係るコンテンツサーバーの一態様は、移動通信端末に提供されるコンテンツが保存され、他の通信端末より前記移動通信端末に対して発呼があった場合にストリーミング配信を行うよう要求を受け付けると、前記無線基地局を介して前記移動通信端末に対し前記コンテンツをストリーミング配信する、ことを特徴とする。
【発明の効果】
【００１２】
本発明によれば、配信される着信音データを一元管理することができるコンテンツ配信システムを提供することができる。
【図面の簡単な説明】
【００１３】
【図１】実施の形態１にかかるコンテンツ配信システムの全体構成例を示す図である。
【図２】実施の形態１にかかるコンテンツ配信システムの移動通信端末１０及び無線基地局１２の構成例を示す図である。
【図３】実施の形態１にかかるコンテンツ配信システムの動作を示すフローチャートである。
【図４】実施の形態１にかかるコンテンツ配信システムの動作を示すフローチャートである。
【図５】実施の形態２にかかるコンテンツ配信システムの動作を示すフローチャートである。
【図６】実施の形態３にかかるコンテンツ配信システムの動作を示すフローチャートである。
【発明を実施するための形態】
【００１４】
［実施の形態１］
以下、図面を参照して本発明の実施の形態について説明する。図１は、本発明の実施の形態１にかかるコンテンツ配信システムの全体構成例を示す図である。
【００１５】
本発明に係るコンテンツ配信システム１００は、移動通信端末１０と、移動通信端末１０と無線通信を行う無線基地局１２と、移動通信端末に提供されるコンテンツが保存され、公衆網１３を介して無線基地局１２と通信を行うコンテンツサーバー１５と、を有している。
【００１６】
無線基地局１２は、図示しない他の通信端末より移動通信端末１０に対して発呼があった場合に、コンテンツサーバー１５に対してコンテンツを移動通信端末１０にストリーミング配信を行うよう要求する。コンテンツサーバー１５は、無線基地局１２からストリーミング配信を行うよう要求されると、無線基地局１２を介して移動通信端末１０にコンテンツをストリーミング配信する。なお、他の通信端末は、固定電話、移動通信端末、又はインターネット電話等のいずれであってもよい。
【００１７】
図１において、移動通信端末１０は、無線基地局１２と無線接続（Ａｉｒ Ｉｎｔｅｒｆａｃｅ）によって通信する。無線基地局１２は、無線ベアラを公衆網のデータ（ＶｏＩＰ（Ｖｏｉｃｅ  Ｏｖｅｒ  Ｉｎｔｅｒｎｅｔ  Ｐｒｏｔｃｏｌ）等物理レイヤのデータ）に変換して、公衆網１３と通信を行う。なお、公衆網１３のオペレータについては、当業者にとってよく知られているため省略する。無線基地局１２は、公衆網１３を通して、図示しない他の通信端末とデータの送受信を行う。
【００１８】
コンテンツサーバー１５には、着信音データを保存したデータベースが設けられている。コンテンツサーバー１５は、例えば、携帯電話通信会社で認証（許可）を受けているサーバーであり、公衆網１３を通して無線基地局１２とデータの送受信を行う。なお、コンテンツサーバー１５から配信されるコンテンツとして、以下では移動通信端末１０の使用者に着信を報知する着信報知情報である着信音を例として説明を行う。なお、本発明はこれに限られず、コンテンツは動画などの映像であってもよいし、着信音と映像の両方を含んでいてもよい。
【００１９】
図２は、実施の形態１にかかるコンテンツ配信システム１００の移動通信端末１０及び無線基地局１２の詳細な構成例を示す図である。移動通信端末１０は、メモリ１０１、ＣＰＵ／ＭＰＵ（Ｃｏｎｔｒｏｌ  Ｐｒｏｃｅｓｓｉｎｇ  Ｕｎｉｔ／Ｍｉｃｒｏ  Ｐｒｏｃｅｓｓｉｎｇ  Ｕｎｉｔ）１０２、及び記録デバイス１０３を備えている。ＣＰＵ／ＭＰＵ１０２は、データ処理用のプロセッサである。ＣＰＵ／ＭＰＵ１０２は、ワークエリアとしてメモリ１０１を使用する。記録デバイス１０３には、予め記憶されたコンテンツが記録されている。具体的には、記録デバイス１０３には、着信音データであるプリインストール着信音データが保存されている。
【００２０】
メモリ１０１には、コンテンツサーバー１５に保存された着信音データのうち、移動通信端末１０が利用可能な着信音データの索引情報（Ｉｎｄｅｘ）が記録されている。ここで索引情報とは、コンテンツ（着信音データ）をストリーミング配信するために用いられる情報であり、コンテンツの識別情報、若しくは、移動通信端末１０の識別情報等である。
【００２１】
無線基地局１２は、移動通信端末１０と通信を行うためのチャネルを割当てるチャネル割当部１１０及び、通信速度を動的に変更するための帯域制御部１１１、及び電力を制御する送信電力制御部１１２を備えている。
【００２２】
なお、図１では、無線基地局１２が公衆網１３を通して他の通信端末やコンテンツサーバー１５と接続されるが、公衆網１３でなく電話通信会社等オペレータ固有の専用回線であっても良い。
【００２３】
次に、他の通信端末から移動通信端末１０に発呼する際のコンテンツ配信システム１００の動作を、図３に示すタイムチャートを使用して説明する。説明では、公衆網１３を介して移動通信端末１０と通信を行う他の通信端末を固定電話として説明を行う。なお、この固定電話は、前述したように他の移動通信端末でもよく、また、インターネット電話であってもよい。
【００２４】
図３において、移動通信端末１０の使用者は、コンテンツサーバー１５に着信音にしたい着信音（コンテンツ）があると、コンテンツサーバー１５に対して該当着信音を使用したい旨のコンテンツ使用要求を、無線基地局１２を経由してコンテンツサーバー１５に行う（Ｓ１）。
【００２５】
コンテンツサーバー１５は、コンテンツ使用要求を送信した移動通信端末１０が不正なものでないかを確認し、不正でなければ該当移動通信端末の認証登録を行う（Ｓ２）。そして、認証登録が完了すると当該移動通信端末１０に対してコンテンツの使用許可を示すコンテンツ使用許可を送信する（Ｓ３）。
【００２６】
コンテンツサーバー１５からコンテンツ使用許可を受信した移動通信端末１０は、移動通信端末１０内のメモリ１０１にコンテンツ（着信音）の索引情報Ｉｎｄｅｘを登録する（Ｓ４）。索引情報Ｉｎｄｅｘの登録後、移動通信端末１０は、該当コンテンツを着信音に設定する。
【００２７】
ここで、固定電話の使用者が、移動通信端末１０の使用者に対して電話をかけた場合には、固定電話から移動通信端末１０が位置登録されている無線基地局１２に対して、発呼のメッセージが送られる（Ｓ５）。
【００２８】
固定電話から発呼のメッセージを受けた無線基地局１２では、チャネル割当部１１０が移動通信端末１０に対して着信があったことを報知するメッセージを送信するために、無線基地局１２の空きチャネルを割り当てる（Ｓ６）。空きチャネルの割り当てが完了すると、無線基地局１２の送信電力制御部１１２は、移動通信端末１０への送信電力制御を行う（Ｓ７）。そして、送信電力制御部１１２によって制御された電力で移動通信端末１０に対して着信を報知するメッセージを出力する（Ｓ８）。
【００２９】
無線基地局１２から着信の報知を受けた移動通信端末１０は、着信に設定されている着信音の索引情報（Ｉｎｄｅｘ）を検索し（Ｓ９）、コンテンツサーバー１５に対して該当着信音のストリーミング配信要求を行う（Ｓ１０）。
【００３０】
一方、移動通信端末１０からコンテンツサーバー１５への配信要求のメッセージを受けた無線基地局１２は、ストリーミング配信用に動的に帯域を確保する（Ｓ１１）。帯域が確保できた後、無線基地局１２はコンテンツサーバー１５にストリーミング配信要求を行う（Ｓ１２）。コンテンツサーバー１５は、無線基地局１２からストリーミング配信要求を受け付けると、移動通信端末１０によって配信要求された着信音をストリーミング配信する（Ｓ１３）。
【００３１】
配信されたコンテンツは、移動通信端末１０の記録デバイス１０３に保存される。移動通信端末１０は、送られてきたストリーミング配信データをメモリ１０１内に展開し（Ｓ１４）、着信音を鳴らす（Ｓ１５）。
【００３２】
そして、移動通信端末１０の使用者が着信に応答すると（Ｓ１６）、移動通信端末１０は無線基地局１２に応答のメッセージを送信する（Ｓ１７）。応答のメッセージを受信した無線基地局１２は、通話用に帯域を制御する（Ｓ１８）。具体的には、移動通信端末１０が通常通話であれば、帯域を通話帯域まで減らす。また、ＴＶ電話など映像を伴う高速通信時は、帯域を維持する。
【００３３】
次に、固定電話から移動通信端末１０に発呼をした後、無線基地局１２がストリーミング配信可能な帯域が確保できない場合のコンテンツ配信システム１００の動作を図４に示すタイムチャートを使用して説明する。
【００３４】
図４において、移動通信端末１０からコンテンツサーバー１５にコンテンツの使用許可を行うまでは前述と同じであるため、ステップＳ１〜Ｓ９までの説明については省略する。固定電話から着信があった場合、移動通信端末１０は、着信音を鳴らすため、無線基地局１２に対してストリーミング配信要求を行う（Ｓ１０）。ストリーミング配信要求を受けた無線基地局１２は、ストリーミング配信を行うため、チャネルを割り当て、ストリーミング配信が可能になるまでの帯域を動的に変化させ、送信電力を上げる等の送信制御を試みる。
【００３５】
ここで、無線基地局１２が、ストリーミング配信を行えるだけの帯域が確保できないと判断した場合や、無線基地局１２において使用する総送信電力が過大となっている場合には（Ｓ２１）、移動通信端末１０に対してストリーミング配信ができない旨を示すストリーミング不可のメッセージを送る（Ｓ２２）。無線基地局１２よりストリーミング不可のメッセージを受信した移動通信端末１０は、移動通信端末１０にプリインストールされている着信音を記録デバイス１０３から検索する（Ｓ２３）。そして、検索された着信音データをメモリ１０１に展開し（Ｓ２４）、着信音を鳴らす（Ｓ２５）。
【００３６】
このように、本実施の形態１は、コンテンツ（着信音）をコンテンツサーバーからストリーミング配信するので、移動通信端末１０内の記録デバイスの容量を軽減することができる。また、着信音データは、コンテンツサーバー１５に保存されているため、無線基地局１２に着信音のためのデータベースを設けることなく、コンテンツサーバー１５において着信音データを一元管理することができる。
【００３７】
また、コンテンツをストリーミング配信する際の移動通信端末１０と無線基地局１２が通信を行う周波数帯域を動的に変化させることで、通信速度を高速化することができる。よって、着信音を一旦移動通信端末１０の記録デバイス１０３に保存しなくても、移動通信端末１０においてコンテンツサーバー１５から配信されたコンテンツをストリーミング再生することができる。また、コンテンツ配信システム１００のオペレータ側は、帯域の閾値を無線基地局１２別に設定することが出来るため、緊急時等に帯域を制限することも可能となる。
【００３８】
また、ストリーミング配信時に無線基地局１２が一時的に使用する周波数帯域を増やし、ストリーミング配信後は使用する周波数帯域を再制御することで、不要になった帯域を減らすことができ、他の通信がこの周波数帯域を再利用することができる。また、移動通信端末１０は、コンテンツの索引情報であるＩｎｄｅｘを保存しているだけなので、従来の移動通信端末１０の記録デバイス１０３の容量のままで再生できる着信音の曲数を増加させることができる。
【００３９】
また、無線基地局１２で帯域制限を行えるため、携帯通信会社等のオペレータ側で、無線基地局１２を個別に帯域調整することが可能となる。また、コンテンツサーバー１５の管理者であるコンテンツ会社は、着信数をカウントできるため、着信データの課金を従量制、無制限で調整することも可能になる。また、コンテンツ会社は、配信される音楽の著作権等の管理を一元化することができる。また、携帯通信会社においても、本システムを使用することによってストリーミング配信専用の課金制度を別途設けることもできる。
【００４０】
今後、無線基地局１２と移動通信端末１０間の帯域は、動的に制御可能となり、通信速度が速くなると予想される。そこで、本実施形態のように、コンテンツ配信システムをＨＳＰＡ（Ｈｉｇｈ  Ｓｐｅｅｄ  Ｐａｃｋｅｔ  Ａｃｃｅｓｓ）及びＬＴＥ（Ｌｏｎｇ  Ｔｅｒｍ  Ｅｖｏｌｕｔｉｏｎ）等に対応させることで高速通信が可能となる。そのため、今まで移動通信端末内に着信音データを取り込んでいたものが、本実施形態を利用することで、着信音のデータを保存せずにストリーミング配信が行える。このため移動通信端末１０内の記録デバイス１０３の容量を少なくでき、また、着信音の設定曲数が多くできる。
【００４１】
［実施の形態２］
次に、図５を用いて本発明の実施の形態２にかかるコンテンツ配信システムについて説明する。なお、全体構成例については、図１、図２に示される実施の形態１と略同一構成であるためその説明を省略する。実施の形態２では、移動通信端末１０がストリーミング配信要求を無線基地局１２に送る部分についてさらに工夫している。
【００４２】
本実施の形態２においては、予め移動通信端末１０は、コンテンツサーバー１５にコンテンツの使用許可をとっておく。そして、図５に示すように、移動通信端末１０が電源をＯＮにしたとき、若しくは、他の無線基地局１２から無線基地局１２にハンドオーバーした時に（Ｓ３１）、無線基地局１２は、コンテンツサーバー１５に対し移動通信端末１０の位置情報の登録を行うと共に、ストリーミング配信対応機種であることの登録を行う（Ｓ３２）。無線基地局１２は、移動通信端末１０の位置情報及び機種情報を登録する（Ｓ３３）。
【００４３】
ここで、固定電話から移動通信端末１０に発呼があった場合には（Ｓ３４）、着信を報知するメッセージの前に、使用する帯域を設定するためにチャネル割当てを行う（Ｓ３５）。そして、ストリーミング配信が可能になるまで帯域を動的に変化させ、及び送信電力を上げる等の送信制御を試みる。無線基地局１２は、ストリーミング配信を行うのに十分な帯域を確保できなかった等、ストリーミング配信が不可能であると判断した場合には（Ｓ３６）、移動通信端末１０に対して着信があった旨を報知するメッセージと共に、コンテンツのストリーミング配信ができない旨のメッセージを送出する（Ｓ３７）。
【００４４】
ストリーミング配信が不可である旨のメッセージを受信した移動通信端末１０は、移動通信端末１０内のプリインストールされた着信音データを検索する（Ｓ２３）。そして検索されたプリインストール着信データをメモリ１０１内に展開し（Ｓ２４）、着信音を鳴らす（Ｓ２５）。
【００４５】
このように無線基地局１２において、移動通信端末１０がストリーミング配信可能な機種であるか否かを認識することで、他の通信端末から発呼があった移動通信端末１０が、ストリーミング配信の対応機種か否かを無線基地局１０が判断することができる。これにより、移動通信端末１０がストリーミング配信の対応機種である場合には、無線基地局１２は、コンテンツサーバー１５と通信する前に帯域の確保を行うことができ、帯域不足等でストリーミング配信が出来ない場合には、その旨を移動通信端末１０に知らせることが出来る。このため、実施の形態１において無線基地局１２と移動通信端末１０との間でのメッセージのやり取りや（ステップＳ９、Ｓ１０）、無線基地局１２とコンテンツサーバー１５間の不要なメッセージのやり取りを減らすことができる。
【００４６】
［実施の形態３］
次に、図６を用いて本発明の実施の形態３に係るコンテンツ配信システムの構成例について説明する。なお、全体構成例については、実施の形態１と略同一構成であるためその説明を省略する。実施の形態３の特徴は、図６に示すように、移動通信端末１０からコンテンツサーバー１５に対してストリーミング配信要求があり、コンテンツサーバー１５の処理の負荷が高かった場合には、無線基地局１２からストリーミング配信不可のメッセージを送信するのではなく、コンテンツサーバー１５からストリーミング配信不可のメッセージを返すことを特徴とする。なお、ステップＳ１〜Ｓ１１については、実施の形態１と同様であるため、その説明を省略する。
【００４７】
図６に示すように、コンテンツサーバー１５が無線基地局１２より着信音ストリーミング配信要求を受け取ったときに（Ｓ１２）、コンテンツサーバー１５に高負荷がかかっている場合には（Ｓ４０）、コンテンツサーバー１５は、コンテンツの使用を不許可とするメッセージを移動通信端末１０に対して送信する（Ｓ４１）。これを受け取った移動通信端末１０は、記録デバイス１０３内のプリインストール着信データを検索し（Ｓ２３）、着信データをメモリ１０１内に展開することで（Ｓ２４）、着信音を鳴らす（Ｓ２５）。
【００４８】
このように、コンテンツサーバー１５に高負荷がかかった場合には、コンテンツサーバー１５から移動通信端末１０にストリーミング配信ができない旨の通知をすることで、コンテンツサーバー１５のコンテンツ配信機能が動作しない場合であっても、移動通信端末１０は、内部に保存された着信音データをメモリ内に展開して着信音を鳴らすことができる。
【００４９】
なお、本発明は上記実施の形態に限られたものではなく、趣旨を逸脱しない範囲で適宜変更することが可能である。
【符号の説明】
【００５０】
１０   移動通信端末
１２  無線基地局
１３   公衆網
１５  コンテンツサーバー
１００  コンテンツ配信システム
１０１  メモリ
１０２  ＣＰＵ／ＭＰＵ
１０３  記録デバイス
１１０   チャネル割当部
１１１  帯域制御部
１１２  電力制御部
【図１】
2010165020.tif 000003
【図２】
2010165020.tif 000004
【図３】
2010165020.tif 000005
【図４】
2010165020.tif 000006
【図５】
2010165020.tif 000007
【図６】
2010165020.tif 000008